Podtech/llm-jp-corpus-v4-ja_patent huggingface dataset:
(57)【要約】      （修正有）【課題】お酒を温めるという行為について、設備等やお酒の種類により限定されるという課題を解決する発熱器具を提供する。【解決手段】酢酸ナトリウム・三水和溶液２の蓄熱の特性を活用した発熱器具で、立体型で且つお酒等を飲むための容器に入る大きさで作成し、過冷却状態を解放する手段に石英結晶等１を使う。従来の酢酸ナトリウム・三水和溶液の蓄熱の特性を利用した発熱器具には繰り返し使用する際に安全面の不安があり、見栄えも悪かったが、これらも同時に解決する。【選択図】図１
0003184900.tif 000002
【実用新案登録請求の範囲】
【請求項１】
酢酸ナトリウム・三水和物の過飽和溶液と過冷却状態を解放する手段（以下、トリガー）がポリエチレン樹脂等パックにより密封された発熱器具であり、トリガーとして石英結晶等を２つ以上入れこれを押し付けるまたは擦りあわせることを過冷却解放の仕組みとし、且つ、調理済みの飲食物に対し直接接して温める形態を特徴とする発熱器具。
【考案の詳細な説明】
【技術分野】
【０００１】  本考案は、手軽にお酒等を温めることが出来る、発熱器具に関するものである。
【背景技術】
【０００２】  これまで、酢酸ナトリウム・三水和物の過飽和溶液による発熱器具は、主にカイロとして身体の一部を温めるために考案されてきた。これは酢酸ナトリウム・三水和溶液の過冷却により蓄熱する特性を利用したものである。また、カイロという性質上、薄さ１０ｍｍ程度未満の薄型で作られてきた。【０００３】  ［０００２］で指す発熱器具において、過冷却状態を解放する手段（以下、トリガー）に、金属片または金属の切削屑など、金属が素材として使われてきた。
【先行技術文献】
【特許文献】
【０００４】
【特許文献１】特願２００３−４２７７８（Ｐ２００３−４２７７８）
【０００５】
【非特許文献】
【非特許文献】化学と教育  社団法人日本化学会  １９９５年４３巻９号  埼玉県立川越女子高校  藤田  勲  「酢酸ナトリウム融液をブレイクさせるトリガー」
【考案の概要】
【考案が解決しようとする課題】
【０００６】  お花見や野球観戦の場面で、お酒が飲まれることが多くある。このとき、主にビールなど冷たいものを小売販売店等で購入してこれを飲むことが一般的である。しかし、寒い時期は温かいものが望まれ、また糖尿病など病的事由によりビール等ではなく、温めた焼酎を望まれることも多くある。【０００７】  日常、多くの場面で使われているお酒を温める方法として、直火による加熱、湯煎、電子レンジ、湯割りの四つが挙げられる。このうち、直火による加熱、電子レンジ及び湯で割るという方法では風味が損なわれることが多い。また、日本酒やワインについてはお湯で割るという方法は使えない。湯煎は時間と手間、ガスレンジ等の設備が必要であり、活用できる場面は限定される。【０００８】  本考案は、お酒を温めるという行為において、場面やお酒の種類により限定されるという課題を解決するものである。【０００９】  また、［０００３］で指すように、［０００２］の発熱器具においては、トリガーに金属素材が使われてきた。［０００２］の発熱器具を使用するうえで、再利用時に酢酸ナトリウム・三水和溶液を加熱して溶かす必要があるが、トリガーが金属製であることが加熱に電子レンジを利用することについて、安全面に課題があった。【００１０】  さらに、金属片等がトリガーとして使われている様子を目視で確認でき、見栄えが悪いという欠点もあった。【００１１】  本考案は、［０００９］が指す電子レンジによる加熱についての課題と、［００１０］で指す見栄えについての課題も同時に解決するものである。
【課題を解決するための手段】
【００１２】  酢酸ナトリウム・三水和溶液の蓄熱の特性を活用した発熱器具について、立体型で且つお酒等を飲むための容器に入る大きさで作成する。【００１３】  トリガーに石英結晶等を使う。ここでいう石英結晶等とは、石英結晶、庭石用に使われる白い玉砂利を指す。この石英結晶等を２つ以上入れ、これを押し付けるまたは擦りあわせることをトリガーとする。このうち、石英結晶等のうち一つ以外はガラス玉も活用できる。一つの石英結晶等の大きさは直径１０ｍｍ〜３０ｍｍ前後を想定している。
【考案の効果】
【００１４】  本考案は、特別な保管の条件などなく常温で持ち運ぶことが出来る。これにより、野球観戦や花見などの外出先で、本考案の発熱器具を発熱させることで、手軽にお酒を温めて飲むことが出来る。温められる温度は考案の大きさや形状、対象物の量などによって変化するが、おおむね３５℃程度まで温めることが出来る。【００１５】  トリガーに石英結晶等を使うことで、再利用時準備にかかる加熱について、電子レンジを使用することが出来ると同時に、見た目にも非常に美しいものができる。石英結晶については水晶、色付き水晶であるアメジストやローズクオーツなども活用でき、パワーストーンを利用した発熱器具としての魅力も生まれる。
【図面の簡単な説明】
【００１６】
【図１】本考案の実施方法の一例を示した説明図である。
【図２】本考案の使用方法の一例を示した説明図である。
【考案を実施するための形態】
【００１７】  ポリエチレン樹脂等によるパック容器に酢酸ナトリウム・三水和溶液と石英結晶等２つ以上を入れ、密封する。パック容器に密封した後の形状が立体型になるよう、パック容器の形状を工夫する。お酒を飲むときのグラスに氷が入った様子を想起させる形状が望ましい。
【実施例】
【００１８】  以下、添付図面に沿って一実施例を説明する。［図１］において、１はトリガーとなる石英結晶等、２は酢酸ナトリウム・三水和溶液、３はポリエチレン樹脂等適宜素材で形成されたパック容器である。【００１９】  ［図２］は本考案の使用例の一例である。５は本考案であり、４はお酒を飲むための器である。４についてはロックグラス、タンブラーなどの器を想定している。保温機能のあるステンレス製のマグカップや水筒などの併用により、お酒をより長い時間、温かい状態で飲むことが出来る。この容器は、温める対象によって茶碗や急須、タッパー等であっても構わない。
【符号の説明】
【００２０】１  石英結晶等
２  酢酸ナトリウム・三水和物過飽和溶液
３  密封容器
４  お酒を飲むための容器
５  本考案の発熱器具
【図１】
0003184900.tif 000003
【図２】
0003184900.tif 000004
(57)【要約】      （修正有）【課題】月々の住宅ローン支払い可能金額から購入可能住宅価格を計算する返済可能住宅価格計算用シートを提供する。【解決手段】本体シート１に上から順に、無理のない毎月返済額計算欄２と、毎月返済額対応借入金額表３と、無理なく買える住宅予算計算欄４とを有する。無理のない毎月返済額計算欄は、住居費予算記入欄と、住宅形態選択欄と、無理のない毎月返済額記入欄とを含む。毎月返済額対応借入金額表は、縦の欄に、毎月返済額、返済期間の欄を併設し、横の欄に金利の具体的数値が記載されている。無理なく買える住宅予算計算欄は、無理なく返せる借入金額記入欄、援助金額記入欄、頭金記入欄、無理なく買える住宅予算記入欄を含む。【選択図】図１
0003184869.tif 000002
【実用新案登録請求の範囲】
【請求項１】
本体シート１に「無理のない毎月返済額計算欄２」、「毎月返済額対応借入金額表３」、「無理なく買える住宅予算計算欄４」を含むことを特徴とする返済可能住宅価格計算用シート。
【考案の詳細な説明】
【技術分野】
【０００１】  本考案は無理なく返済可能な住宅価格の計算用シートに関するものである。
【背景技術】
【０００２】  住宅購入には金融機関とのローン契約により月毎に一定の金額を支払い続けていくのが一般的であるが、月毎の支払い金額の計算は複雑であり、支払い能力に応じた住宅価格を逆算することは大変困難である。このように月々の支払い可能金額から逆算して購入可能住宅の価格を計算できるシートは見られない。
【考案の概要】
【考案が解決しようとする課題】
【０００３】  本考案は、月々の支払い可能金額から購入可能住宅価格を計算することを目的とする。
【課題を解決するための手段】
【０００４】  本考案は、計算用シートの記入欄に金額を記入し、記載されている計算式に代入することにより、購入可能住宅の価格を計算することができることを特徴とする。
【考案を実施するための形態】
【実施例】
【０００５】  以下図示した実施例について説明する。１は本体シート、２は「無理のない毎月返済額計算欄」、３は「毎月返済額対応借入金額表」、４は「無理なく買える住宅予算計算欄」である。【０００６】  本体シート１内に上部から下部へ向けて、「無理のない毎月返済額計算欄２」、「毎月返済額対応借入金額表３」、「無理なく買える住宅予算計算欄４」の順番で、配置されている。【０００７】  「無理のない毎月返済額計算欄２」は、住宅購入検討時に無理なく支払可能な住居費の予算を計算するための計算欄であり、「住居費予算記入欄５」、「住宅形態選択欄６」「無理のない毎月返済額記入欄７」を含む。「住居費予算記入欄５」に住宅購入検討時における無理なく支払可能な住居費の予算金額を記入し、購入予定の住宅形態を「住宅形態選択欄６」から選択する。選択した住宅形態が一戸建ての場合には、「住居費予算記入欄５」に記入した金額をそのまま「無理のない毎月返済額記入欄７」に記入し、選択した住宅形態がマンションである場合には、「住居費予算記入欄５」に記入した金額から２万円を差し引いた金額を「無理のない毎月返済額記入欄７」に記入する。【０００８】  「毎月返済額対応借入金額表３」は、縦の欄に「毎月返済額」と「返済期間」の欄を併設し、具体的数値が記載されている。図では「毎月返済額」は５万円から１２万円となっており、「返済期間」は２０年から３５年となっているが、スペースの都合でこの範囲となっており、この範囲に限定する意図はない。横の欄に金利の具体的数値が記載されており、「毎月返済額」及び「返済期間」の欄と、「金利」の欄が交差する場所に無理なく返済可能な借入金額の具体的金額が記載されている。図では、金利の具体的数値が１．５％〜３．５％となっているが、スペースの都合でこの範囲となっており、この範囲に限定する意図はない。【０００９】  「無理なく買える住宅予算計算欄４」は「無理なく返せる借入金額記入欄８」、「援助金額記入欄９」、「頭金記入欄１０」、「無理なく買える住宅予算記入欄１１」を含む。「無理なく返せる借入金額記入欄８」には、上記「毎月返済額対応借入金額表」を用いて調べた、無理なく返済可能な借入金額の具体的金額を記入する。「援助金額記入欄９」には、他人からの贈与又は貸与等によって得られる金額を記入する。「頭金記入欄１０」には、住宅ローンの頭金として充当する金額を記入する。「無理なく返せる借入金額記入欄８」、「援助金額記入欄９」、「頭金記入欄１０」に数値を代入し、計算式による計算の結果得られる数値を「無理なく買える住宅予算記入欄１１」に記入する。
【考案の効果】
【００１０】  必要事項を記入し、計算式によって計算することにより、無理なく返済可能な住宅価格が計算できる。
【図面の簡単な説明】
【００１１】
【図１】本考案の「無理なく返済可能な住宅価格の計算用シート」の全体の正面図である。
【符号の説明】
【００１２】  １    本体シート
２  「無理のない毎月返済額計算欄」
３  「毎月返済額対応借入金額表」
４  「無理なく買える住宅予算計算欄」
５  「住居費予算記入欄」
６  「住宅形態選択欄」
７  「無理のない毎月返済額記入欄」
８  「無理なく返せる借入金額記入欄」
９  「援助金額記入欄」
１０「頭金記入欄」
１１「無理なく買える住宅予算記入欄」
【図１】
0003184869.tif 000003
【手続補正書】
【提出日】平成25年5月20日(2013.5.20)
【手続補正１】
【補正対象書類名】実用新案登録請求の範囲
【補正対象項目名】全文
【補正方法】変更
【補正の内容】
【実用新案登録請求の範囲】
【請求項１】
本体シート１に、上から順に、「無理のない毎月返済額計算欄２」、「毎月返済額対応借入金額表３」、「無理なく買える住宅予算計算欄４」を含むことを特徴とする返済可能住宅価格計算用シート。
(57)【要約】      （修正有）【課題】隕石から出ている治療効果のある電磁波を利用する為ガラスなどに隕石の細片を混入して球状に成形したツボ刺激器具を提供する。【解決手段】ガラス合成樹脂に隕石の細片を混入し球状に成形したことを特徴とする。球状にすることで点刺激だけでなく押し付けながら経絡に沿って転がす線状の刺激に混入した隕石からの電磁波が加わることで治療効果が向上した。【選択図】図１
0003184863.tif 000002
【実用新案登録請求の範囲】
【請求項１】
ツボ等の治療点刺激器具に隕石を混入することにより治療効果を高めた
【考案の詳細な説明】
【考案の概要】
【０００１】隕石から出ている治療効果のある電磁波を利用する為、ガラスなどの成形体に混入したツボ刺激器
【図１】
0003184863.tif 000003
【手続補正書】
【提出日】平成25年5月2日(2013.5.2)
【手続補正１】
【補正対象書類名】実用新案登録請求の範囲
【補正対象項目名】全文
【補正方法】変更
【補正の内容】
【実用新案登録請求の範囲】
【請求項１】
ガラス合成樹脂に隕石の細片を混入し球状に成形したツボ刺激器具
【手続補正２】
【補正対象書類名】明細書
【補正対象項目名】全文
【補正方法】変更
【補正の内容】
【考案の詳細な説明】
【考案の概要】
【０００１】隕石から出ている治療効果のある電磁波を利用する為ガラスなどに隕石の細片を混入して球状に成形したツボ刺激器
【考案が解決しようとする課題】隕石が出す赤外線など人体に有益な電磁波を利用したツボ刺激器を試作したが、隕石だけでの試作品は、重く、錆びてしまった。
【課題を解決するための手段】隕石を小片にして、ガラス、合成樹脂と混ぜ合わせ、成形することで錆びと重量の問題を解決した。
【考案の効果】球状にすることで点刺激だけでなく押し付けながら経絡に沿って転がす線状の刺激に混入した隕石からの電磁波が加わることで治療効果が向上した。
【図面の簡単な説明】
【０００２】
【図１】「球体を示した断面図で混入した隕石の細片を点描で表した」
【手続補正３】
【補正対象書類名】図面
【補正対象項目名】図１
【補正方法】変更
【補正の内容】
【図１】
0003184863.tif 000004
(57)【要約】      （修正有）【課題】手で支えなくてもスマートフォンを自立させることが出来、平面状のときはしおり及び定規として使用出来るスタンドを提供する。【解決手段】方形状の枠体１の中央にコの字状の切込み２を設け、切込み２の内側に形成された舌片状の押さえ部３を設ける。押さえ部３前辺の中央に２つの支持片４を下方に垂下させて設ける。切込み２を入れた押さえ部３の相対側の台座に２つのつめ５を上方に突出するように設ける。枠体１の側部に定規６を設ける。以上の構成をスマートフォンスタンドとして使用するときは支持片４とつめ５の間にスマートフォンを挟み、スマートフォンの画面をみる。本のしおり７として使用するときは平面状に戻し、押さえ部３と枠体１の間に紙を挟む。定規６として使用するときは平面状に戻し枠体１の側部の定規６で物体を測る。【選択図】図１
0003184866.tif 000002
【実用新案登録請求の範囲】
【請求項１】
方形状の枠体にコの字状の切込みを設け、切込みの内側に形成された舌片状の押さえ部の前辺の中央に２つの支持片を設け、切込みを入れた押さえ部の相対側の台座に２つのつめを設け、側部に定規を設けた定規及びしおりの機能を設けたスマートフォン専用スタンド。
【考案の詳細な説明】
【技術分野】
【０００１】  本考案はしおり及び定規機能を備えたスマートフォン用スタンドに関するものである。
【背景技術】
【０００２】  従来、動画などみる時に使用する吸盤型や立て掛け式のスマートフォン用スタンドがあった。
【考案の概要】
【考案が解決しようとする課題】
【０００３】  そのために、次のような問題があった。
（イ）  スタンドの本体が立体的な形状のものが多く持ち運びづらかった。
（ロ）  用途がスマートフォン専用スタンド機能のみで本体に多様性が不足していた。
本考案は、これらの問題点を解決するためになされたものである。
【課題を解決する為の手段】
【０００４】  枠体の側部が定規になっており、枠体の中央に切込みを入れる事によって、しおりの機能を設けたスマートフォン用専用スタンド。
【発明の効果】
【０００５】  本考案のスタンドにスマートフォンを装着して動画をみる時などは、スマートフォンを手で支えなくても、スマートフォンを固定でき、平面状の構造により持ち運びが容易になり、しおり及び、定規として使用する事もできる。
【図面の簡単な説明】
【０００６】
【図１】  本考案の斜視図
【図２】  本考案の側面図
【図３】  本考案のスマートフォンを使用した場合の斜視図
【図４】  本考案のスマートフォンを使用した場合の側面図
【考案を実施するための形態】
【０００７】  以下、本考案の実施の形態について説明する。
（イ）  方形状の枠体（１）の中央にコの字状の切込み（２）を設け、切込み（２）の内      側に形成された舌片状の押さえ部（３）を設ける。
（ロ）  押さえ部（３）前辺の中央に２つの支持片（４）を下方に垂下させて設ける。
（ハ）  切込み（２）を入れた押さえ部（３）の相対側の台座に２つのつめ（５）を上方      に突出するように設ける。
（ニ）  枠体（１）の側部に定規（６）を設ける。
本考案は以上のような構成で、これをスマートフォンスタンドとして使用するときは支持片（４）とつめ（５）の間にスマートフォン（８）を挟み、スマートフォン（８）の画面をみることが出来る。本のしおり（７）として使用するときは平面状に戻し、押さえ部（３）と枠体（１）の間に紙を挟む。定規（６）として使用するときは平面状に戻し枠体（１）の側部の定規（６）で物体を測ることが出来る。
【符号の説明】
【０００８】    １  枠体
２  切込み
３  押さえ部
４  支持片
５  つめ
６  定規
７  しおり
８  スマートフォン
【図１】
0003184866.tif 000003
【図２】
0003184866.tif 000004
【図３】
0003184866.tif 000005
【手続補正書】
【提出日】平成25年4月25日(2013.4.25)
【手続補正３】
【補正対象書類名】明細書
【補正対象項目名】０００６
【補正方法】変更
【補正の内容】
【０００６】
【図１】本考案の上面図
【図２】本考案のスマートフォンを使用した場合の斜視図
【図３】本考案のスマートフォンを使用した場合の側面図
(57)【要約】      （修正有）【課題】押し釦を押すことによってエア−噴出量の緩急をコントロ−ルしやすくする事が出来る様にした事を特徴とした押し釦式ピストル型金属製エアブローを提供する。【解決手段】押し釦式ピストル型金属製エアブローに於いて、押し釦１に階段部３とＯリング４、Ｏリング押さえ５とスプリング７を設けてセンターピン２を押し釦１に圧入すると共に、エアー通路穴８を設けたブッシュ６と嵌合させた後本体に取り付ける操作部に於いて階段部３のようにＯリング４に当たる面を勾配にすることによって押し釦１を押したとき圧力が軽減されエアー噴出量の緩急をコントロールしやすくする事を特徴とする。【選択図】図２
0003184867.tif 000002
【実用新案登録請求の範囲】
【請求項１】
押し釦式ピストル型金属製エアブロ−のエア−の噴出調整をする操作部（図２）の押し
0003184867.tif 000009
にする事によってエア−噴出量の緩急をコントロ−ルしやすくすることを特徴とする
押し釦式ピストル型金属製エアブロ−。
【考案の詳細な説明】
【技術分野】
【０００１】本考案は押し釦式ピストル型金属製エアブロ−操作部（図２）センタ−ピン（２）の階段部（３）に勾配を設けた事に関するものである。
【背景技術】
【０００２】押し釦式ピストル型金属製エアブロ−は機械工場などで物品を加工する際に出る切り子などを除去するため空気圧を利用する機器として利用されている。
【考案の開示】
【考案が解決しようとする課題】
【０００３】従来の押し釦式ピストル型金属製エアブロ−はセンタ−ピン（図２）の（２）に設けら
0003184867.tif 000003
があった。
（イ）押し釦（１）を人差し指で押すのでエア−噴出量の緩急は容易なるも適正量が困難であった。
（ロ）物品の加工から出る切り子が押し釦を強く押すと噴出量が強いため油のついた切り子が作業者に付着することがある。
（ハ）物品の加工物が小さい時、噴出量が強いと製品が紛失することがある。
本考案はこれらの欠点を解決するためになされたものである。
【課題を解決するための手段】
【０００４】本考案は操作部（図２）の押し釦（１）付きセンタ−ピン（２）の階段部（３）の
0003184867.tif 000004
エア−の噴出量は微量から最大へとコントロ−ル出来るので問題点を解決している。
【考案の効果】
【０００５】上述の様に、押し釦（図２）の（１）を強く押したとしても階段部（３）の勾配部の
0003184867.tif 000005
したり又細かい物品加工の場合に部品が紛失したりすることがない。
【考案の実施するための最良の形態】
【０００６】既存の押し釦式ピストル型金属製エアブロ−の操作部であるセンタ−ピン（図３）の
0003184867.tif 000006
【実施例】
【０００７】以下、添付図に従って実施例を説明する。従来の押し釦式ピストル型金属製エアブロ−に於いては押し釦付きセンタ−ピンの階段部が図３の（９）の様になっていた。その為
0003184867.tif 000007
を緩やかな勾配を付けた。【０００８】本考案の操作部は図２の様な構成からなっている。
【図面の簡単な説明】
【０００９】
【図１】本考案の押し釦式ピストル型金属製エアブロ−の斜視図でおる。
【図２】本考案の操作部の説明図である。
【図３】従来の押し釦式ピストル型金属製エアブロ−の押し釦付きセンタ−ピンである。
【図４】本考案の押し釦付きセンタ−ピンである。
【符号の説明】
【００１０】１    押し釦
２    センタ−ピン
３    階段部
0003184867.tif 000008
６    ブッシュ
７    スプリング
８    エア−通路穴
９    図３の旧階段部
１０  図４の本考案の階段部
【図１】
0003184867.tif 000010
【図２】
0003184867.tif 000011
【図３】
0003184867.tif 000012
【図４】
0003184867.tif 000013
【手続補正書】
【提出日】平成25年4月26日(2013.4.26)
【手続補正１】
【補正対象書類名】実用新案登録請求の範囲
【補正対象項目名】全文
【補正方法】変更
【補正の内容】
【実用新案登録請求の範囲】
【請求項１】
押し釦式ピストル型金属製エアブローに於いて、押し釦（１）に階段部（３）とＯリング（４）Ｏリング押さえ（５）とスプリング（７）を設けてセンターピン（２）を押し釦（１）に圧入すると共に、エアー通路穴（８）を設けたブッシュ（６）と嵌合させた後本体（１１）に取り付ける操作部に於いて階段部（３）のようにＯリング（４）に当たる面を勾配にすることによって押し釦（１）を押したとき圧力が軽減されエアー噴出量の緩急をコントロールしやすくする事を特徴とする押し釦式ピストル型金属エアーブロー。
【手続補正２】
【補正対象書類名】図面
【補正対象項目名】図１
【補正方法】変更
【補正の内容】
【図１】
0003184867.tif 000014
【手続補正３】
【補正対象書類名】明細書
【補正対象項目名】００１０
【補正方法】変更
【補正の内容】
【００１０】１    押し釦
２    センターピン
３    階段部
４    Ｏリング
５    Ｏリング押さえ
６    ブッシュ
７    スプリング
８    エアー通路穴
９    図３の旧階段部
１０  図４の本考案の階段部
１１  本体
(57)【要約】      （修正有）【課題】キャスティング時、長期使用によりズレや裂けが生じやすかったワーム（トレーラー）を簡単に固定することができるワームストッパー付きルアーを提供する。【解決手段】錘となるヘッド又はジグヘッド本体１にバンド取り付けリング２を設け、バンド取り付けリング２に、ワームストッパーとなるゴムバンド又は伸縮性のあるバンド３を取り付けた。【選択図】図１
0003184864.tif 000002
【実用新案登録請求の範囲】
【請求項１】
錘となるヘッド、ジグヘッド本体にゴムバンド及び伸縮性のあるバンド取り付け用リングとワームストッパーとなるゴムバンド及び伸縮性のあるバンドを備えてなることを特徴とするルアー
【考案の詳細な説明】
【考案の概要】
【技術分野】
【０００１】本考案は、ワームのズレを解消するために、本体の後部にゴムバンドまたは伸縮性のあるバンドを装着し、ワームのズレを最小限におさえたものである。
【技術背景】
【０００２】従来のキーパーでは長期間の使用によりワームのズレが生じやすかったため。
投げ続けることによってワームの内部が身切れするため。
従来キーパーによって内部が傷ついたワームを再利用したいため。
【考案が解決しようとする課題】
【０００３】従来のキーパーは長期間の使用でワームがずれやすく、ワーム内部も傷つける。
本考案はこの課題を解消するだけでなく、従来キーパーによって傷ついたワームも再利用することができるようにしたものである。
【考案が解決するための手段】
【０００４】錘となるヘッド及び、ジグヘッド本体１のバンド取り付けリング２にゴムバンドまたは伸縮性のあるバンド３を装着し、ワーム５を抱きかかえるように針４にバンド３をかける。
【考案の効果】
【０００５】従来のキーパーよりもワーム５がズレにくく、口や内部が傷ついたワーム５もリサイクルできる。
ゴムバンド３の色交換によって魚への視覚的アピール度合いも高まる。
【図面の簡単な説明】
【０００６】
【図１】本考案の平面図である。
【図２】本考案の使用状態を示す平面図である。
【考案を実施するための形態】
【０００７】以下、本考案の実施の形態について説明する。
（イ）錘となるヘッド及びジグヘッド本体１にバンド取り付けリング２を取り付け、そのリング２にゴムバンドまたは伸縮性のあるバンド３を通す。
【符号の説明】
【０００８】１  錘となるヘッド及びジグヘッド本体
２  バンド取り付けリング
３  ゴムバンドまたは伸縮性のあるバンド
４  針
５  ワーム（トレーラー）
【図１】
0003184864.tif 000003
【図２】
0003184864.tif 000004
【手続補正書】
【提出日】平成25年5月1日(2013.5.1)
【手続補正１】
【補正対象書類名】実用新案登録請求の範囲
【補正対象項目名】全文
【補正方法】変更
【補正の内容】
【実用新案登録請求の範囲】
【請求項１】
錘となるヘッド又はジグヘッド本体にバンド取り付けようリングを設け、前記バンド取り付けようリングに、ワームストッパーとなるゴムバンド又は伸縮性のあるバンドを取り付けたことを特徴とするワームストッパー付きルアー。
(57)【要約】      （修正有）【課題】的確にターゲット照射が可能でかつ廉価に明視野顕微鏡を用いて蛍光顕微鏡と同様な蛍光観察が可能となるＬＥＤ励起光源装置を提供する。【解決手段】明視野顕微鏡（正立顕微鏡及び倒立顕微鏡）の通常二つある接眼鏡筒１の内の一つを利用し接眼レンズを取り除いてＬＥＤ励起光源部（ハウジング２内に設置したＬＥＤ光源５と集光レンズ４及び励起用フィルター３からなる構成）をセットし他の接眼レンズ１３にセットした観察用エミッションフィルター１２を通してターゲットが発する蛍光を蛍光観察する。【選択図】図１
0003184868.tif 000002
【実用新案登録請求の範囲】
【請求項１】
明視野顕微鏡鏡筒部▲１▼に取り付けた励起光源部（▲２▼〜▲８▼）から照射光を顕微鏡光路を通して▲１０▼対物レンズ下（正立顕微鏡）もしくは対物レンズ上（倒立顕微鏡）にある▲１１▼蛍光染色されたターゲットサンプルに照射しターゲットから出てくる蛍光を▲１２▼の観察用エミションＦｉｌｔｅｒを通すことにより蛍光観察可能なＬＥＤ励起光源装置。
【考案の詳細な説明】
【技術分野】
【０００１】  本考案は明視野顕微鏡の接眼鏡筒を利用しＬＥＤ励起光源を接眼鏡筒に取り付けることにより蛍光顕微鏡と同様な蛍光観察を可能とする。
【背景技術】
【０００２】生物試料の蛍光観察法として一般的に蛍光顕微鏡もしくは明視野顕微鏡に外付け励起光源を利用して蛍光観察を行っているが蛍光顕微鏡は高価で取扱いも複雑であり一方明視野顕微鏡を利用し外付け励起光源の場合は的確にターゲット部を強く励起できずかつ顕微鏡操作性を落としていた。
【先行技術文献】
【特許文献】
【０００３】
【特許文献１】
【非特許文献】
【０００４】
【非特許文献１】
【考案の概要】
【考案が解決しようとする課題】
【０００５】本考案は外付け励起光源では得られなかった蛍光観察を明視野顕微鏡の接眼鏡筒を利用することによって顕微鏡光路を生かして的確にターゲット照射が可能でかつ廉価に蛍光顕微鏡と同様な蛍光観察が可能となるよう解決しようとするものである。
【課題を解決するための手段】
【０００６】本考案は明視野顕微鏡の接眼鏡筒にＬＥＤ励起光源を取り付けることにより顕微鏡本来の光路を利用し観察ターゲットを的確に励起でき外付け励起光源の問題点を解決している。
【考案の効果】
【０００７】本考案は明視野顕微鏡を簡便かつ廉価に蛍光顕微鏡に転用でき蛍光観察分野研究に役立つ。
【図面の簡単な説明】
【０００８】
【図１】イ）本考案のＬＥＤ励起光源部  ロ）本考案の観察用エミッションＦｉｌｔｅｒ部
【考案を実施するための形態】
【０００９】明視野顕微鏡（正立顕微鏡及び倒立顕微鏡）の通常二つある接眼鏡筒の内の一つを利用し接眼レンズを取り除いてＬＥＤ励起光源をセットし他の接眼レンズにセットした観察用エミッションＦｉｌｔｅｒを通してターゲットが発する蛍光を蛍光観察ができる。
【実施例】
【００１０】以下、添付図面に従って一実施例を説明する。
イ）は明視野顕微鏡本体及び明視野顕微鏡接眼鏡筒部にセットする励起光源部及び励起光源用定電流電源部  ロ）は接眼鏡筒部にセットする観察用エミッションＦｉｌｔｅｒを示す。
【符号の説明】
【００１１】１明視野顕微鏡本体（正立顕微鏡もしくは倒立顕微鏡）及び接眼鏡筒部に光源取付け詳細
２励起光源ハウジングケース
３励起光源用Ｆｉｌｔｅｒ
４ＬＥＤ用レンズ
５ＬＥＤ
６ＬＥＤ基板
７放熱用アルミ棒
８ＬＥＤ用ＤＣコード
９ＬＥＤ用定電流電源部
１０対物レンズ
１１蛍光染色サンプル
１２観察用エミションＦｉｌｔｅｒ
１３接眼レンズ（光源挿入しない方）
【図１】
0003184868.tif 000003
【手続補正書】
【提出日】平成25年4月26日(2013.4.26)
【手続補正１】
【補正対象書類名】実用新案登録請求の範囲
【補正対象項目名】全文
【補正方法】変更
【補正の内容】
【実用新案登録請求の範囲】
【請求項１】
明視野顕微鏡鏡筒部に取り付けた励起光源部（ハウジング内に設置したＬＥＤ光源と集光レンズ及び励起用フィルターからなる構成）から照射光を顕微鏡光路を通して対物レンズ下（正立顕微鏡）もしくは対物レンズ上（倒立顕微鏡）にある蛍光染色されたターゲットサンプルに照射しターゲットから出てくる蛍光を観察用エミッションフィルターを通すことにより蛍光観察可能なＬＥＤ励起光源装置。
(57)【要約】      （修正有）【課題】人の体型に合う構造で、容易に作成ができ、使用者が容易に洗濯、乾燥ができる枕を提供する。【解決手段】二枚の生地の外周部分を縫い合わせ、曲線の縫い目１を一本入れる事により二室に分離された部位が形成された側地を二組作成した後、二組の側地のそれぞれにわた状の柔らかい素材を充填した後、二組の側地の両側を合わせ縫製し筒状に形成する。筒状の内部に板状の硬い素材を挿入して枕を完成させる。【選択図】図１
0003184881.tif 000002
【実用新案登録請求の範囲】
【請求項１】
二枚の生地を縫い合わせ曲線の縫い目を一本入れる事により二室に分離された部位が形成された側地を二組作成した後、それぞれに中材を充填した後、二組の両側を合わせ縫製し筒状にして、中心部分に他素材を挿入した枕
【請求項２】
板状の硬い素材を裁断した後、その形状にあわせ裁断、縫製した生地にて包み込んだ中芯を、請求項１の部位と組み合わせ完成する枕
【考案の詳細な説明】
【技術分野】
【０００１】本考案は人の体型に合う構造の枕を、容易に作成ができ、使用者が容易に洗濯、乾燥ができるよう考案したものである。
【背景技術】
【０００２】就寝時使用の枕は、わた、ウレタン等硬度の違った素材の組み合わされた枕が販売され、多くの特許出願等がされている。枕の高さ、硬さは体型によって異なり消費者の要望も多数あり、違った素材の組み合わせの枕を容易に作る必要がある。
【先行技術文献】
【特許文献】
【０００３】
【特許文献１】登録実用新案公報３１５５８４６号
【特許文献２】登録実用新案公報３０３３３７６号
【考案の概要】
【考案が解決しようとする課題】
【０００４】この考案の目的は洗濯方法、乾燥方法の違う素材を組み合わせ作る人の体型に合った枕を、簡略な方法で作成することである。
【課題を解決するための手段】
【０００５】請求項１に記載の考案は生地により形成された側地に充填素材が入り筒状に形成された部分に、請求項２により作成された板状の違った素材を挿入することにより形成された枕を作成することである。
【図面の簡単な説明】
【０００６】
【図１】二枚の生地を合わせ外周部分縫製と縫い目（１）により形成された中に素材を充填できる二室が構成された袋状の側地
【０００７】
【図２】［図１］で作成した側地の（２）部分に充填材を入れた部分を二個作成後、二個の長い辺を縫い合わせ筒状に形成された図
【０００８】
【図３】板状の枕芯部分の素材の形状
【０００９】
【図４】［図３］板状の枕芯部分を生地で包み込み、縫製を施した図
【００１０】
【図５】［図２］で作成された筒状の枕部分の内部に［図４］で作成された板状の枕芯部分を挿入し枕を完成した図
【図１】
0003184881.tif 000003
【図２】
0003184881.tif 000004
【図３】
0003184881.tif 000005
【図４】
0003184881.tif 000006
【図５】
0003184881.tif 000007
【手続補正書】
【提出日】平成25年5月6日(2013.5.6)
【手続補正１】
【補正対象書類名】実用新案登録請求の範囲
【補正対象項目名】全文
【補正方法】変更
【補正の内容】
【実用新案登録請求の範囲】
【請求項１】
それぞれ中材が充填された二組の側地の両側を縫製することにより
形成された筒と、前記筒内部に挿入された他素材と有する枕において
前記側地は、二枚の生地を縫い合わせ曲線の縫い目を一本入れることにより二室に分離された部位を有することを特徴とする枕
【請求項２】
前記他素材は、板状の硬い素材をその形状にあわせ裁断、縫製した生地にて包み込んだ中芯からなることを特徴とする請求項１に記載された枕
(57)【要約】      （修正有）【課題】台座下に支持棒を介して取付けてある大型クリップを、机等任意の場所にはさみ固定することで安定した状態で使用でき、操作性を向上させる携帯用電子機器のクリップ付台座を提供する。【解決手段】携帯用電子機器のクリップ付台座であって、携帯用電子機器を載せる台座Ａと、前記台座の裏面に一端が連結された支持棒Ｂと、前記支持棒の他端に設けられたクリップＣとを備えたことを特徴とする携帯用電子機器のクリップ付台座。【選択図】図１
0003184882.tif 000002
【実用新案登録請求の範囲】
【請求項１】
本考案の携帯用電子機器のクリップ付台座は、台座の上にスマートホン等の携帯電話やタブレット端末、電子書籍や携帯ゲーム機等をのせて固定し、安定した状態で使用することを可能にするものである携帯用電子機器のクリップ付台座である
【請求項２】
本考案の携帯用電子機器のクリップ付台座は、台座の上にスマートホン等の携帯電話やタブレット端末、電子書籍や携帯ゲーム機等をのせ固定し、支持棒を介して取付けてある大型クリップを机等任意の場所にはさみ固定し、使用することのできるものである携帯用電子機器のクリップ付台座である
【考案の詳細な説明】
【技術分野】
【０００１】  本考案は、スマートホン等の携帯電話やタブレット端末、電子書籍や携帯ゲーム機等、携帯用電子機器の固定用台座の下に支持棒を介して大型クリップを取付け、テーブルや机等の任意の場所に固定することのできるようにしたものである。
【背景技術】
【０００２】  携帯用電子機器を使用する時、机に置いて使用したり、手に持って使用しているので、操作性の向上のためにクリップで机等に固定し、任意の場所に設置をすることができる携帯用電子機器のクリップ付台座を考案したものである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  携帯用電子機器を使用する時、机等に置いて使用したり手に持って使用しているが、使用中に倒したり落としたり等、不安定な状態で使用しているので、任意の場所に固定の可能なクリップ付台座を使用することにより、問題点を解決しようとするものである。
【課題を解決するための手段】
【０００６】  本考案は、スマートホン等の携帯電話やタブレット端末、電子書籍や携帯ゲーム機等、携帯用電子機器の固定用台座に携帯用電子機器をのせ使用することにより、使用中に倒したり落としたり等、不安定な状態で使用することを防止し、操作性の向上を可能にするもので、携帯用電子機器の固定用台座に支持棒を介して大型のクリップを取付け、それを机等任意の場所にはさみ固定することにより、任意の場所での安定した使用ができるようになることで、問題点を解決している。
【考案の効果】
【０００７】  本考案の携帯用電子機器のクリップ付固定用台座を使用することにより、スマートホン等の携帯電話やタブレット端末、電子書籍や携帯ゲーム機等、携帯用電子機器を使用する時に倒したり落としたり等、不安定な状態で使用することがなくなり、又クリップで机等の任意の場所に固定し使用することで安定した状態での使用が可能になり、操作性の向上にも役立つものである。
【図面の簡単な説明】
【０００８】
【図１】携帯用電子機器のクリップ付台座の全体図である
【図２】携帯用電子機器のクリップ付台座の横面の全体図である
【図３】携帯用電子機器のクリップ付台座の上面図である
【図４】携帯用電子機器のクリップ付台座の裏面図である
【図５】大型クリップの上面図である
【図６】支持棒の図である
【考案を実施するための形態】
【０００９】  本考案の携帯用電子機器のクリップ付台座は、台座の上にスマートホン等の携帯電話やタブレット端末、電子書籍や携帯ゲーム機等をのせ、Ｄのスライド板をスライドさせ固定し、台座下に支持棒を介して取付けてある大型クリップを机等に任意の場所にはさみ固定することで、固定台座とすることができる。又、Ｇの角度調整金具で台座の角度を調整し、使用するものである。
【実施例】
【００１０】  本考案の携帯用電子機器のクリップ付台座は、台座の上にスマートホン等の携帯電話やタブレット端末、電子書籍や携帯ゲーム機等をのせ固定し、台座下に支持棒を介して取付けてある大型クリップを、机等任意の場所に固定し操作するものであって、使用中に倒したり落としたり等することなく、又操作性の向上も可能にし、使用するものである。
【符号の説明】
【００１１】Ａ  携帯用電子機器の台座
Ｂ  支持棒
Ｃ  大型クリップ
Ｄ  携帯用電子機器の固定用スライド板
Ｅ  スライド板固定用のボルト
Ｆ  ボルト用長穴
Ｇ  支持棒取付け部及び台座角度調整用金具
Ｈ  支持棒取付け部及びクリップ角度調整用金具
【図１】
0003184882.tif 000003
【図２】
0003184882.tif 000004
【図３】
0003184882.tif 000005
【図４】
0003184882.tif 000006
【図５】
0003184882.tif 000007
【図６】
0003184882.tif 000008
【手続補正書】
【提出日】平成25年4月30日(2013.4.30)
【手続補正１】
【補正対象書類名】実用新案登録請求の範囲
【補正対象項目名】全文
【補正方法】変更
【補正の内容】
【実用新案登録請求の範囲】
【請求項１】
携帯用電子機器のクリップ付台座であって、携帯用電子機器を載せる台座と、前記台座の裏面に一端が連結された支持棒と、前記支持棒の他端に設けられたクリップとを備えたことを特徴とする携帯用電子機器のクリップ付台座
(57)【要約】      （修正有）【課題】種々の携帯したい品々を整理し、使用時に簡単に取り出せる多機能多数収納ポケット付バッグを提供する。【解決手段】表側内部に２ヶ所、表側外部に４ヶ所、裏側外部に７ヶ所、裏側内部に８ヶ所の最大計２１か所のポケットをバッグの中に備え付け、そのポケットの内、表側外側の１か所に菓子類専用の収納室を設ける。【選択図】図３
0003184885.tif 000002
【実用新案登録請求の範囲】
【請求項１】
携帯すべく品々を整理して収納出来る様に最大２１か所のポケットをバッグの中に備え付けそのポケットの内１か所に菓子類専用の収納室を備えたバッグ。
【考案の詳細な説明】
【技術分野】
【０００１】  本考案は、多機能な収納ポケットを２１か所設け、さらに菓子類を収納するポケットを設けたバッグに関するものである。
【背景技術】
【０００２】  従来、外出する際に使用するショルダーバッグなどには、限られた収納室しかなかった。
【考案の概要】
【考案が解決しようとする課題】
【０００３】  バッグの中に携帯したい品々を整理しきれずに別の収納ケースを使用してバッグに入れ、菓子類については特定の収納室もなく移動する事を余儀なくされていた。
【課題を解決するための手段】
【０００４】  本考案は、携帯すべく品々を整理して収納出来る様に最大２１か所のポケットをバッグの中に備え付けそのポケットの内１か所に菓子類専用の収納室を設ける事により解決を計る。
【考案の効果】
【０００５】  多数のポケットにそれぞれの携帯品を入れてバッグ内での整理と、それぞれの携帯品や菓子類を使用時に簡単に取り出す事を実現。
【図面の簡単な説明】
【０００６】
【図１】  本考案の多機能多数収ポケット付バッグの正面図である。
【図２】  本考案の多機能多数収ポケット付バッグの表側の開いた状態の図である。
【図３】  本考案の多機能多数収ポケット付バッグの裏側の開いた状態の図である
【考案を実施するための形態】
【０００７】  図２にある１〜２の様に表側内部に２か所のポケットと、３〜６の様に表側外部に４か所のポケットを装備
図３にある様に裏側外部に７〜８と１１及び１８〜２１の７か所のポケットと裏側内部に９〜１０と１２〜１７の８か所のポケットを装備
【実施例】
【０００８】  図２と図３にの様に開いた状態において、２１か所のポケットにそれぞれの品物を収納【０００９】  図２にある３に菓子類を収納。
【符号の説明】
【００１０】  １  表側正面内部ポケット
２  表側正面内部ポケット
３  表側正面下部ファスナー付き菓子類専用ポケット
４  表側正面上部ファスナー付きポケット
５  表側裏面ポケット
６  表側裏面ポケット
７  裏側裏面横向きポケット
８  裏側裏面上部ファスナー付ポケット
９  裏側正面内部ポケット
１０  裏側正面内部ポケット
１１  裏側正面中央部ポケット
１２  裏側正面内部カード用仕切りポケット
１３  裏側正面内部カード用仕切りポケット
１４  裏側正面内部カード用仕切りポケット
１５  裏側正面内部カード用仕切りポケット
１６  裏側正面内部カード用仕切りポケット
１７  裏側正面内部カード用仕切りポケット
１８  裏側正面ファスナー付きポケット
１９  裏側正面ファスナー付きポケット
２０  裏側正面縦向きポケット
２１  裏側正面縦向きポケット
【図１】
0003184885.tif 000003
【図２】
0003184885.tif 000004
【図３】
0003184885.tif 000005
(57)【要約】      （修正有）【課題】磁石がしっかり頚椎・僧帽筋に当たる磁気ネックレスを提供する。【解決手段】留め具２と、その片側に長さ調節金具２１を備え、その延長と、留め具２の他側に磁石３が接続され、磁石どうしは、チェーン４により接続している磁気ネックレスであって、チェーン４の中央には、ペンダントトップを固定するためのＣ型の連結金具６を備え、そのＣ型の連結金具でもってペンダントトップ５に接続することで、磁気ネックレスが振れても、ペンダントトップの重しで、真下にもどることにより、磁石が頚椎に当たり易くなり肩こりを解消できる。【選択図】図１
0003184890.tif 000002
【実用新案登録請求の範囲】
【請求項１】
留め具２と、その片側に長さ調節金具２１を備え、その延長と、留め具２の他側に磁石３が接続され、磁石どうしは、チェーン４により接続している磁気ネックレスであって、チェーン４の中央には、ペンダントトップを固定するためのＣ型の連結金具６を備え、そのＣ型の連結金具でもってペンダントトップ５に接続することで、磁気ネックレスが振れても、ペンダントトップの重しで、真下にもどることにより、磁石が頚椎に当たり易くして肩こりを解消するようにしたことを特徴とする磁気ネックレス。
【考案の詳細な説明】
【技術分野】
【０００１】本考案は、磁石を頚椎に当てる磁気ネックレスに関する。
【背景技術】
【０００２】従来の磁気ネックレスはスポーツタイプとチェーンタイプとに大きく分別できる。スポーツタイプはシリコンやゴムや布製で運動時に装着するタイプ、チェーンタイプは金属で普段用に装着するタイプであるが、これまで、磁気ネックレスの磁石の位置と、頚椎との関係については意識されていなかった。
【考案の概要】
【考案が解決しようとする課題】
【０００３】従来のチェーンタイプの磁気ネックレスは全周に磁石が付いているものか、留め具の辺りに磁石がついてあるものかいずれかである。【０００４】全周に磁石があるタイプの場合、肩こりとは首や肩の部分なので、胸元部の磁石については効果が得られない。磁石が留め具の辺りあるタイプは、より効果的に頚椎・僧帽筋に直接に磁石が当たるので効果的である。【０００５】しかしながら、磁石が留め具の辺りあるタイプのネックレスを、首に装着していると留め具がクルクル回り、磁石が頚椎に当たらず、肩こりを改善する効果が薄れてしまうという課題がある。
【課題を解決するための手段】
【０００６】留め具２と、その片側に長さ調節金具２１を備え、その延長と、留め具２の他側に磁石３が接続され、磁石どうしは、チェーン４により接続している磁気ネックレスであって、チェーン４の中央には、ペンダントトップを固定するためのＣ型の連結金具６を備え、そのＣ型の連結金具でもってペンダントトップ５に接続することで、磁気ネックレスが振れても、ペンダントトップの重しで、真下にもどることにより、磁石が頚椎に当たり易くして肩こりを解消するようにしたことを特徴とする磁気ネックレスである。
【考案の効果】
【０００７】一番重い部分がペンダントトップであり、チェーンがペンダントトップに固定されている為、振動により磁気ネックレスが振られても、ペンダントトップが重しになって真下になり、常に磁石が、頸椎に当たり、肩こりが解消され易くなる。
【図面の簡単な説明】
【０００８】
【図１】磁気ネックレス全体の構成
【図２】リング型のペンダントトップの構成
【図３】バー型のペンダントトップの構成
【考案を実施するための形態】
【０００９】図１は磁気ネックレス全体の構成を示す。
本考案の磁気ネックレスは、留め具２と、その片側に長さ調節金具２１を備え、その延長と、留め具２の他側に磁石３が接続され、磁石どうしは、チェーン４により接続する。チェーン４の中央には、ペンダントトップを固定するためのＣ型の連結金具６を備える。このＣ型の連結金具で、ペンダントトップ５を接続する。
【００１０】図２は、リング型のペンダントトップの構成を示す。
ペンダントトップはリング型で、チェーンと接続するためのペンダントトップ固定具５１をつけることができない場合の例を示す。ペンダントトップの固定具５１の使用ができないタイプの場合は図２に示すようにリング型ペンダントトップ自体に一度チェーンを巻きつけ外れないようにチェーン同士をＣ型の連結金具６に通して接続する。これにより中心でペンダントトップが固定される。この他にもトップの形状がさまざまな形状でも何かしらの方法でチェーンの中心部に固定する。
【００１１】図３は、バー型のペンダントトップの構成を示す。
ペンダントトップはバー型で、チェーンと接続するため、ペンダントトップ固定具５１を備えている。そのペンダントトップの固定具５１と、チェーンをＣ型の連結金具にてかしめて接続する。
【００１２】ペンダントトップがチェーンの中心部に固定しているので、磁気ネックレスが振動で振られても、重力によりペンダントトップが真下に向く力を利用して、対辺にある磁石が頚椎に当たる。磁石３が首の頚椎に当たることで肩の凝りをほぐし血行促進で改善が期待できる。
【符号の説明】
【００１３】１  磁気ネックレス
２  留め具
２１  長さ調節金具
３  磁石
４  チェーン
５  ペンダントトップ
５１  ペンダントトップの固定具
６  Ｃ型の連結金具
【図１】
0003184890.tif 000003
【図２】
0003184890.tif 000004
【図３】
0003184890.tif 000005